(57)【特許請求の範囲】
【請求項１】
原稿の画像を読み取るための原稿読取部と、上記原稿読取部を内部に収容している筐体と、上記筐体に対して開閉可能な開閉カバーとを備え、上記原稿読取部に原稿を供給するための重さの異なる第１原稿供給装置及び第２原稿供給装置のいずれかが選択されて、上記開閉カバーに設けられる原稿読取装置であって、
上記筐体に形成され、それぞれ上記開閉カバーに固定されるヒンジを取り付けるための少なくとも３つの取付部を備え、
上記第１原稿供給装置が上記開閉カバーに設けられる場合には、上記少なくとも３つの取付部のうち少なくとも１つを除く所定数の取付部にのみ上記ヒンジがそれぞれ取り付けられ、
上記第１原稿供給装置よりも重い上記第２原稿供給装置が上記開閉カバーに設けられる場合には、上記少なくとも３つの取付部のうち上記所定数よりも多い数の取付部に上記ヒンジがそれぞれ取り付けられ、
上記第１原稿供給装置が上記開閉カバーに設けられる場合に上記ヒンジが取り付けられる上記所定数の取付部に、上記第２原稿供給装置が上記開閉カバーに設けられる場合に上記ヒンジがそれぞれ取り付けられることを特徴とする原稿読取装置。
【請求項２】
上記第２原稿供給装置は、原稿の両面を読み取るために動作する両面読取機構を備えており、
上記第１原稿供給装置は、上記両面読取機構を備えていないことを特徴とする請求項１に記載の原稿読取装置。
【請求項３】
上記少なくとも３つの取付部は、一直線上に並べて形成されており、上記所定数の取付部には、両端部に位置する２つの取付部が含まれることを特徴とする請求項１又は２に記載の原稿読取装置。
【請求項４】
原稿の画像を読み取るための原稿読取部と、上記原稿読取部を内部に収容している筐体と、上記筐体に対して開閉可能な開閉カバーとを備えた原稿読取装置に対して、上記原稿読取部に原稿を供給するための重さの異なる第１原稿供給装置及び第２原稿供給装置のいずれかを選択して、上記開閉カバーに設ける原稿読取装置の組立方法であって、
上記筐体には、それぞれ上記開閉カバーに固定されるヒンジを取り付けるための少なくとも３つの取付部が形成されており、
上記第１原稿供給装置を上記開閉カバーに設ける場合には、上記少なくとも３つの取付部のうち少なくとも１つを除く所定数の取付部にのみ上記ヒンジをそれぞれ取り付け、
上記第１原稿供給装置よりも重い上記第２原稿供給装置を上記開閉カバーに設ける場合には、上記少なくとも３つの取付部のうち上記所定数よりも多い数の取付部に上記ヒンジをそれぞれ取り付け、
上記第１原稿供給装置を上記開閉カバーに設ける場合に上記ヒンジを取り付ける上記所定数の取付部に、上記第２原稿供給装置を上記開閉カバーに設ける場合に上記ヒンジをそれぞれ取り付けることを特徴とする原稿読取装置の組立方法。
【発明の詳細な説明】
【技術分野】
【０００１】
本発明は、原稿の画像を読み取るための原稿読取部と、上記原稿読取部を内部に収容している筐体と、上記筐体に対して開閉可能な開閉カバーとを備え、上記原稿読取部に原稿を供給するための重さの異なる第１原稿供給装置及び第２原稿供給装置のいずれかが選択されて、上記開閉カバーに設けられる原稿読取装置及びその組立方法に関するものである。
【背景技術】
【０００２】
複写機などの画像形成装置には、原稿の画像を読み取るための原稿読取装置が備えられている。この種の原稿読取装置は、原稿に向けて光を照射する光源、及び、原稿からの反射光を受光する受光部などからなる原稿読取部が、筐体内に収容されることにより構成されている。
【０００３】
上記筐体には、例えばガラス板が形成されており、当該ガラス板上に置かれた原稿に対して、筐体内の光源から光が照射され、原稿からの反射光が受光部により受光される。また、上記筐体には、ガラス板に対向する閉状態と、ガラス板に対向しない閉状態との間で開閉可能な開閉カバーが取り付けられている。当該開閉カバーには、両端部にヒンジが固定され、それらの２つのヒンジが筐体に取り付けられることにより、当該ヒンジを中心に開閉カバーが回転可能となる。
【０００４】
上記開閉カバーには、原稿読取部に原稿を供給するための原稿供給装置（ＡＤＦ）が設けられる。当該ＡＤＦとしては、原稿の片面の画像のみを読み取ることができる片面読取タイプと、原稿の両面の画像を読み取ることができる両面読取タイプとが挙げられる。両面読取タイプのＡＤＦの場合には、例えば原稿の表裏を反転させるための原稿反転機構が当該ＡＤＦに備えられている。これにより、原稿の第１面の画像を原稿読取部で読み取らせた後、その原稿の表裏を原稿反転機構で反転させ、第２面の画像を原稿読取部で読み取らせることができる。これに対して、片面読取タイプのＡＤＦでは、上記のような原稿反転機構は必要ない。そのため、片面読取タイプと両面読取タイプとでは、通常、ＡＤＦの重さが異なっている。
【０００５】
ＡＤＦを使用しない場合、すなわちガラス板上に原稿を置いて読み取らせる場合には、上記開閉カバーを開いた状態でガラス板上に原稿を置いた後、開閉カバーを閉じて原稿を読み取らせる。したがって、ガラス板上に原稿を置く際には、開閉カバーが開状態で保持されるようになっている方が、ユーザにとって使い勝手がよい。そのため、当該開閉カバーを筐体に対して開閉可能に取り付けるためのヒンジには、通常、開閉カバーを開状態で保持することができるような機構が備えられている。
【０００６】
下記特許文献１には、原稿供給装置（開閉カバー）を開閉可能に取り付けるためのヒンジ装置の一例として、本体装置に対する蓋体のヒンジ動作とともに蓋体の上下動作を行うようなヒンジ装置が提案されている。
【０００７】
【特許文献１】特開平１１−１２５０５６号公報
【発明の開示】
【発明が解決しようとする課題】
【０００８】
しかしながら、上述の通り、片面読取タイプと両面読取タイプとでは、ＡＤＦの重さが異なっている。そのため、当該ＡＤＦが取り付けられた開閉カバーを開状態で良好に保持することができるようにするためには、片面読取タイプと両面読取タイプとで異なる種類のヒンジを使用する必要がある。
【０００９】
上記のような理由から、従来は、筐体における開閉カバーの両端部に対応する位置に、それぞれヒンジの種類ごとに異なる形状の取付部が形成されていた。上記取付部は、例えば、ヒンジを挿入するための凹部からなり、このような取付部がＡＤＦの種類ごとに形成された場合には、筐体に比較的大きな取付スペースが必要になる。
【００１０】
本発明は上記実情に鑑みてなされたものであり、原稿供給装置が設けられた開閉カバーを筐体に取り付ける際の取付スペースを削減することができる原稿読取装置及びその組立方法を提供することを目的とする。
【課題を解決するための手段】
【００１１】
第１の本発明に係る原稿読取装置は、原稿の画像を読み取るための原稿読取部と、上記原稿読取部を内部に収容している筐体と、上記筐体に対して開閉可能な開閉カバーとを備え、上記原稿読取部に原稿を供給するための重さの異なる第１原稿供給装置及び第２原稿供給装置のいずれかが選択されて、上記開閉カバーに設けられる原稿読取装置であって、上記筐体に形成され、それぞれ上記開閉カバーに固定されるヒンジを取り付けるための少なくとも３つの取付部を備え、上記第１原稿供給装置が上記開閉カバーに設けられる場合には、上記少なくとも３つの取付部のうち少なくとも１つを除く所定数の取付部にのみ上記ヒンジがそれぞれ取り付けられ、上記第１原稿供給装置よりも重い上記第２原稿供給装置が上記開閉カバーに設けられる場合には、上記少なくとも３つの取付部のうち上記所定数よりも多い数の取付部に上記ヒンジがそれぞれ取り付けられることを特徴とする。
【００１２】
このような構成によれば、少なくとも３つの取付部のうち少なくとも１つを除く所定数の取付部には、第１原稿供給装置及び第２原稿供給装置のいずれが開閉カバーに設けられる場合であってもヒンジが取り付けられる。一方、残りの取付部のうち少なくとも１つの取付部には、第１原稿供給装置よりも重い第２原稿供給装置が開閉カバーに設けられる場合にのみヒンジが取り付けられる。すなわち、上記所定数の取付部を第１原稿供給装置と第２原稿供給装置とに共用することができるので、原稿供給装置の種類ごとに異なる取付部を形成する場合と比べて、原稿供給装置が設けられた開閉カバーを筐体に取り付ける際の取付スペースを削減することができる。また、原稿供給装置の重さに比例して、その原稿供給装置が設けられた開閉カバーを筐体に取り付けるためのヒンジの数が増加するので、開閉カバーを開状態で良好に保持することができる。
【００１３】
第２の本発明に係る原稿読取装置は、上記第２原稿供給装置は、原稿の両面を読み取るために動作する両面読取機構を備えており、上記第１原稿供給装置は、上記両面読取機構を備えていないことを特徴とする。
【００１４】
このような構成によれば、第２原稿供給装置は、第１原稿供給装置と比べて、両面読取機構を備えている分だけ重くなるが、その分ヒンジの数が増加するので、開閉カバーを開状態で良好に保持することができる。
【００１５】
上記両面読取機構は、原稿の表裏を反転させて、当該原稿の両面を上記原稿読取部で読み取らせるための原稿反転機構であってもよい。また、上記筐体に収容されている原稿読取部が、原稿の第１面の画像を読み取るための第１原稿読取部であって、上記両面読取機構には、原稿の第２面の画像を読み取るための第２原稿読取部が備えられていてもよい。
【００１６】
第３の本発明に係る原稿読取装置は、上記少なくとも３つの取付部は、一直線上に並べて形成されており、上記所定数の取付部には、両端部に位置する２つの取付部が含まれることを特徴とする。
【００１７】
このような構成によれば、第１原稿供給装置が開閉カバーに設けられる場合には、両端部に位置する２つの取付部に取り付けられたヒンジを介して、開閉カバーを安定して筐体に取り付けることができる。一方、第１原稿供給装置よりも重い第２原稿供給装置が開閉カバーに設けられる場合には、上記２つの取付部の間に形成されている残りの取付部にもヒンジが取り付けられることにより、開閉カバーを開状態で良好に保持することができる。
【００１８】
第４の本発明に係る原稿読取装置の組立方法は、原稿の画像を読み取るための原稿読取部と、上記原稿読取部を内部に収容している筐体と、上記筐体に対して開閉可能な開閉カバーとを備えた原稿読取装置に対して、上記原稿読取部に原稿を供給するための重さの異なる第１原稿供給装置及び第２原稿供給装置のいずれかを選択して、上記開閉カバーに設ける原稿読取装置の組立方法であって、上記筐体には、それぞれ上記開閉カバーに固定されるヒンジを取り付けるための少なくとも３つの取付部が形成されており、上記第１原稿供給装置を上記開閉カバーに設ける場合には、上記少なくとも３つの取付部のうち少なくとも１つを除く所定数の取付部にのみ上記ヒンジをそれぞれ取り付け、上記第１原稿供給装置よりも重い上記第２原稿供給装置を上記開閉カバーに設ける場合には、上記少なくとも３つの取付部のうち上記所定数よりも多い数の取付部に上記ヒンジをそれぞれ取り付けることを特徴とする。
【００１９】
このような構成によれば、第１の本発明に係る原稿読取装置と同様の効果を奏する原稿読取装置の組立方法を提供することができる。
【発明の効果】
【００２０】
本発明によれば、少なくとも３つの取付部のうち少なくとも１つを除く所定数（１以上の、前記取付部の数よりも１以上少ない整数）の取付部を第１原稿供給装置と第２原稿供給装置とに共用することができるので、原稿供給装置が設けられた開閉カバーを筐体に取り付ける際の取付スペースを削減することができる。
【発明を実施するための最良の形態】
【００２１】
図１は、本発明の一実施形態に係る原稿読取装置１０を備えた画像形成装置１の内部構成を示した概略断面図である。この画像形成装置１は、原稿供給装置（ＡＤＦ）２、原稿読取部３、画像形成部４及び給紙部５を備えた複写機であり、ＡＤＦ２及び原稿読取部３が原稿読取装置１０を構成している。
【００２２】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取ポイントＡにおいて、静止したスキャナ３ａにより画像が読み取られる。図１に示した画像形成装置１に設けられているＡＤＦ２は、原稿の片面の画像のみを読み取ることができる片面読取タイプであり、片面の画像が読み取られた後の原稿は、排出ローラ２ｈにより原稿排出トレイ２ｉ上に順次排出される。
【００２３】
原稿読取部３には、いわゆるＣＣＤ方式が採用され、複数のＣＣＤ(Charge Coupled Devices)が、原稿の搬送方向に対して直交する水平方向（図１における紙面の前後方向）である主走査方向に並べて配置されている。原稿読取部３には、ＡＤＦ２により搬送される原稿をスキャナ３ａが静止した状態で読み取る静止読取領域３ｂと、ガラス板３ｄ上に置かれた原稿をスキャナ３ａが移動しながら読み取る移動読取領域３ｃとが備えられている。
【００２４】
図１では、スキャナ３ａが読取ポイントＡの直下の静止読取領域３ｂに静止し、ＡＤＦ２により１枚ずつ搬送される原稿の画像を読み取る状態が示されている。この静止読取領域３ｂで原稿を読み取る場合には、各ＣＣＤで原稿からの反射光を受光することにより主走査が行われるとともに、読取ポイントＡを原稿が搬送されることにより副走査が行われる。一方、移動読取領域３ｃで原稿を読み取る場合には、各ＣＣＤで原稿からの反射光を受光することにより主走査が行われるとともに、スキャナ３ａが主走査方向に直交する水平方向（副走査方向）に移動することにより副走査が行われる。
【００２５】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、スキャナ３ａで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２６】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２７】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。この状態で給紙ローラ２１が回転駆動されることにより、記録紙カセット６内に収容されている記録紙Ｐが、搬送路１２に１枚ずつ送り出される。
【００２８】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、記録紙Ｐは感光体ドラム４ａの直前で一旦停止され、感光体ドラム４ａに形成されるトナー像を転写させるタイミングに合わせてレジストローラ１４により送り出される。
【００２９】
上記のような原稿読取部３、画像形成部４及び給紙部５は、筐体１ａ内に配置されており、当該筐体１ａの上面に上記ガラス板３ｄが形成されている。筐体１ａの上面には、閉状態でガラス板３ｄ全体を覆う開閉カバー１１が、上下方向に開閉可能に取り付けられている。当該開閉カバー１１の上面には上記原稿排出トレイ２ｉが形成されており、当該原稿排出トレイ２１の上方に原稿トレイ２ａが設けられている。ＡＤＦ２は、開閉カバー１１における左右方向（副走査方向）の一端部に設けられている。
【００３０】
ＡＤＦ２を使用する場合には、開閉カバー１１が図１に示すような閉状態とされ、この状態で原稿トレイ２ａ上に置かれた原稿が１枚ずつ原稿読取部３に供給される。一方、ＡＤＦ２を使用しない場合、すなわちガラス板３ｄ上に原稿を置いて読み取らせる場合には、開閉カバー１１を開いた状態でガラス板３ｄ上に原稿を置いた後、開閉カバー１１を閉じることにより、原稿が開閉カバー１１とガラス板３ｄとの間に挟まれた状態で読み取られる。
【００３１】
図２は、原稿読取装置１０の他の構成例を示した概略断面図である。図２（ａ）及び（ｂ）に示した各原稿読取装置１０のＡＤＦ２は、図１の例のような片面読取タイプとは異なり、原稿の両面の画像を読み取ることができる両面読取タイプである。図２の例では、原稿の両面を読み取るために動作する両面読取機構２０を備えている点以外は、図１の例と同様の構成を有しているため、同様の構成については図に同一符号を付して説明を省略する。
【００３２】
図２（ａ）に示したＡＤＦ２には、両面読取機構２０として、搬送路２ｇから分岐して当該搬送路２ｇをバイパスする分岐路２ｋと、当該分岐路２ｋの搬送路２ｇに対する各分岐点に設けられた搬送ローラ２ｍ、２ｎとが備えられている。分岐路２ｋは、その一端部が読取ポイントＡの上流側において搬送路２ｇに接続され、他端部が読取ポイントＡの下流側において搬送路２ｇに接続されている。
【００３３】
この図２（ａ）に示すようなＡＤＦ２を用いて原稿の両面の画像を読み取る際には、まず、片面読取タイプの場合と同様に、原稿トレイ２ａ上に置かれた原稿が１枚ずつ送り出され、複数の搬送ローラ２ｄ、２ｅ、２ｆにより搬送路２ｇを搬送される。そして、搬送路２ｇの途中に位置する読取ポイントＡにおいて、静止したスキャナ３ａにより原稿の第１面の画像が読み取られた後、搬送路２ｇに沿って排出ローラ２ｈ側へと原稿が搬送される。
【００３４】
その後、原稿の後端部が排出ローラ２ｈに到達した時点で、搬送ローラ２ｈの回転方向が逆方向に切り替えられる。これにより、原稿が搬送路２ｇに沿って上流側に送り返され、搬送ローラ２ｎの作用によって、搬送路２ｇから分岐した分岐路２ｋへと搬送される。当該分岐路２ｋから搬送ローラ２ｍを介して、搬送路２ｇにおける読取ポイントＡよりも上流側に送り返された原稿は、当該搬送路２ｇに沿って再び読取ポイントＡへと搬送される。このとき、原稿は両面読取機構２０によって表裏反転されており、読取ポイントＡにおいて、静止したスキャナ３ａにより第２面の画像が読み取られた後、表裏を原稿トレイ２ａ上に置かれたときと一致させるために両面読取機構２０によって再度表裏反転され、排出ローラ２ｈから原稿排出トレイ２ｉ上に排出される。このように、図２（ａ）の例における両面読取機構２０は、原稿の表裏を反転させて、当該原稿の両面を原稿読取部３で読み取らせるための原稿反転機構により構成されている。
【００３５】
図２（ｂ）に示したＡＤＦ２には、両面読取機構２０として、原稿の第２面の画像を読み取るための原稿読取部２ｐが備えられている。すなわち、筐体１ａに収容されている原稿読取部３が、原稿の第１面の画像を読み取るための第１原稿読取部を構成し、上記原稿読取部２ｐが、原稿の第２面の画像を読み取るための第２原稿読取部を構成している。原稿読取部２ｐには、いわゆるＣＩＳ方式が採用され、ＣＭＯＳ（Complementary Metal Oxide Semiconductor）により原稿の画像を読み取ることができる。
【００３６】
この図２（ｂ）に示すようなＡＤＦ２を用いて原稿の両面の画像を読み取る際には、片面読取タイプの場合と同様に、原稿トレイ２ａ上に置かれた原稿が１枚ずつ送り出され、複数の搬送ローラ２ｄ、２ｅ、２ｆにより搬送路２ｇを搬送される。そして、搬送路２ｇの途中に位置する読取ポイントＡにおいて、静止したスキャナ３ａにより原稿の第１面の画像が読み取られた後、当該読取ポイントＡの下流側において、原稿読取部２ｐにより原稿の第２面の画像が読み取られる。両面の画像が読み取られた原稿は、そのまま排出ローラ２ｈから原稿排出トレイ２ｉ上に排出される。
【００３７】
本実施形態では、図１に示したような片面読取タイプのＡＤＦ２（第１原稿供給装置）、及び、図２に示したような両面読取タイプのＡＤＦ２（第２原稿供給装置）のいずれかが選択されて、開閉カバー１１に設けられるようになっている。すなわち、ユーザが片面読取タイプを希望する場合には、片面読取タイプのＡＤＦ２が設けられた開閉カバー１１が、筐体１ａに対して開閉可能に取り付けられる。一方、ユーザが両面読取タイプを希望する場合には、両面読取タイプのＡＤＦ２が設けられた開閉カバー１１が、筐体１ａに対して開閉可能に取り付けられる。
【００３８】
ＡＤＦ２を使用しない場合、すなわちガラス板３ｄ上に原稿を置いて読み取らせる場合には、開閉カバー１１を開いた状態でガラス板３ｄ上に原稿を置くため、開閉カバー１１を開状態で保持することができるようになっている方が、ユーザにとって使い勝手がよい。そこで、本実施形態では、開閉カバー１１を開状態で保持することができるようなヒンジを用いて、開閉カバー１１が筐体１ａに対して開閉可能に取り付けられるようになっている。
【００３９】
しかし、上述の通り、図２に示したような両面読取タイプのＡＤＦ２は、両面読取機構２０を備えているのに対して、図１に示したような片面読取タイプのＡＤＦ２は、上記両面読取機構２０を備えていない。そのため、両面読取タイプのＡＤＦ２の方が、片面読取タイプのＡＤＦ２よりも重く形成されている。このように、選択されるＡＤＦ２によって重さが異なるため、開閉カバー１１を開状態で良好に保持することができるようにするためには、選択されたＡＤＦ２に応じて異なる態様で開閉カバー１１を取り付ける必要がある。
【００４０】
図３は、筐体１ａに対する開閉カバー１１の取付態様について説明するための原稿読取装置１０の斜視図である。筐体１ａの上面には、ガラス板３ｄが形成されており、当該ガラス板３ｄ上に置かれた原稿の画像を、筐体１ａ内に収容されている原稿読取部３で読み取ることができるようになっている。
【００４１】
筐体１ａの上面における前後方向（主走査方向）の後端部には、それぞれヒンジ３１を取り付けるための３つの取付部３２が、左右方向（副走査方向）に一直線上に並べて形成されている。より具体的には、上記３つの取付部３２は、左右方向の中央部に形成される取付部３２ｂと、当該取付部３２ａを挟んで両側に形成される２つの取付部３２ａ，３２ｃとからなる。各取付部３２は、例えば筐体１ａの上面に形成された凹部からなり、開閉カバー１１に一端部を固定されたヒンジ３１の他端部が、対応する取付部３２に挿入されて取り付けられる。ただし、取付部３２は、凹部により構成されるものに限らず、所定の取付領域を形成するような構成であれば、他の各種構成を採用することができる。
【００４２】
片面読取タイプよりも重い両面読取タイプのＡＤＦ２が開閉カバー１１に設けられる場合には、図３に示すように、３つの取付部３２の全てにヒンジ３１がそれぞれ取り付けられる。すなわち、開閉カバー１１に固定された各ヒンジ３１ａ，３１ｂ，３１ｃが、それぞれ対応する取付部３２ａ，３２ｂ，３２ｃに取り付けられる。これにより、開閉カバー１１が、左右方向に延びる回転軸線Ｂを中心に回転可能な状態で、筐体１ａに対して取り付けられる。
【００４３】
一方、両面読取タイプよりも軽い片面読取タイプのＡＤＦ２が開閉カバー１１に設けられる場合には、図３の例とは異なり、２つの取付部３２にのみヒンジ３１がそれぞれ取り付けられる。より具体的には、一直線上に並べて形成されている３つの取付部３２ａ，３２ｂ，３２ｃのうち、両端部に位置する２つの取付部３２ａ，３２ｃに、開閉カバー１１に固定された対応するヒンジ３１ａ，３１ｃが取り付けられる。
【００４４】
なお、上記３つの取付部３２ａ，３２ｂ，３２ｃのうち、ＡＤＦ２に最も近い左側の取付部３２ａは、筐体１ａの左右方向の左端部において、ＡＤＦ２に対向する位置に設けられている。一方、ＡＤＦ２から最も離れている右側の取付部３２ｃは、筐体１ａの左右方向の右端部における左側（ＡＤＦ２側）に寄った位置に設けられている。また、中央の取付部３２ｂは、筐体１ａの左右方向の中央部における左側（ＡＤＦ２側）に寄った位置に設けられている。このように、比較的重いＡＤＦ２側に各取付部３２が形成される位置を寄せることにより、当該ＡＤＦ２が設けられた開閉カバー１１を安定して保持することができる。
【００４５】
本実施形態では、３つの取付部３２ａ，３２ｂ，３２ｃのうち２つの取付部３２ａ，３２ｃには、片面読取タイプ及び両面読取タイプのいずれのＡＤＦ２が開閉カバー１１に設けられる場合であってもヒンジ３１ａ，３１ｃが取り付けられる。一方、残りの１つの取付部３２ｂには、片面読取タイプよりも重い両面読取タイプのＡＤＦ２が開閉カバー１１に設けられる場合にのみヒンジ３１ｂが取り付けられる。すなわち、上記２つの取付部３２ａ，３２ｃを片面読取タイプと両面読取タイプとに共用することができるので、ＡＤＦ２の種類ごとに異なる取付部を形成する場合と比べて、ＡＤＦ２が設けられた開閉カバー１１を筐体１ａに取り付ける際の取付スペースを削減することができる。
【００４６】
また、ＡＤＦ２の重さに比例して、そのＡＤＦ２が設けられた開閉カバー１１を筐体１ａに取り付けるためのヒンジ３１の数が増加するので、開閉カバー１１を開状態で良好に保持することができる。すなわち、両面読取タイプのＡＤＦ２は、片面読取タイプのＡＤＦ２と比べて、両面読取機構２０を備えている分だけ重くなるが、その分ヒンジ３１の数が増加するので、開閉カバー１１を開状態で良好に保持することができる。
【００４７】
また、本実施形態では、片面読取タイプのＡＤＦ２が開閉カバー１１に設けられる場合には、両端部に位置する２つの取付部３２ａ，３２ｃに取り付けられたヒンジ３１ａ，３１ｃを介して、開閉カバー１１を安定して筐体１ａに取り付けることができる。一方、片面読取タイプよりも重い両面読取タイプのＡＤＦ２が開閉カバー１１に設けられる場合には、上記２つの取付部３２ａ，３２ｃの間に形成されている残りの取付部３２ｂにもヒンジ３１ｂが取り付けられることにより、開閉カバー１１を開状態で良好に保持することができる。
【００４８】
以上の実施形態では、ヒンジ３１を取り付けるための取付部３２が、３つ形成された構成について説明したが、このような構成に限らず、上記取付部３２が少なくとも３つ形成された構成であれば、４つ以上の取付部が形成されていてもよい。この場合、片面読取タイプのＡＤＦ２が開閉カバー１１に設けられる場合には、上記少なくとも３つの取付部３２のうち少なくとも１つを除く所定数の取付部３２にのみヒンジ３１がそれぞれ取り付けられる。一方、両面読取タイプのＡＤＦ２が開閉カバー１１に設けられる場合には、上記少なくとも３つの取付部３２のうち上記所定数よりも多い数の取付部３２にヒンジ３１がそれぞれ取り付けられる。また、この場合、上記所定数の取付部３２には、両端部に位置する２つの取付部３２ａ，３２ｃが含まれることが好ましい。なお、両面読取タイプのＡＤＦ２が開閉カバー１１に設けられる場合に、上記少なくとも３つの取付部３２のうち少なくとも１つの取付部３２には、ヒンジ３１が取り付けられないような構成であってもよい。
【００４９】
また、開閉カバー１１は筐体１ａの上面に対して開閉可能な構成に限らず、他の面に対して開閉可能に設けられていてもよい。さらに、筐体１ａに対する開閉カバー１１の回転軸線Ｂは、筐体１ａの後端部において左右方向に延びるような構成に限らず、他の位置又は方向に延びるような構成であってもよい。
【００５０】
また、以上の実施形態では、本発明が複写機などの画像形成装置１に適用される場合について説明したが、このような構成に限らず、本発明は、画像形成部４及び給紙部５を備えていない原稿読取装置にも適用可能である。
【図面の簡単な説明】
【００５１】
【図１】本発明の一実施形態に係る原稿読取装置を備えた画像形成装置の内部構成を示した概略断面図である。
【図２】原稿読取装置の他の構成例を示した概略断面図である。
【図３】筐体に対する開閉カバーの取付態様について説明するための原稿読取装置の斜視図である。
【符号の説明】
【００５２】
１      画像形成装置
１ａ    筐体
２      ＡＤＦ
３      原稿読取部
１０    原稿読取装置
１１    開閉カバー
３１ａ，３１ｂ，３１ｃ  ヒンジ
３２ａ，３２ｂ，３２ｃ  取付部
２０    両面読取機構
【図１】
0005050987.tif 000002
【図２】
0005050987.tif 000003
【図３】
0005050987.tif 000004